(57)【要約】      （修正有）【課題】生体情報をより正確かつ適切に測定できる生体情報測定装置を提供する。【解決手段】生体情報測定装置は、第一検出センサ１１から出力される第一出力信号から基準心拍間隔を算出する基準心拍間隔算出部２１ｂと、第二検出センサ１２から出力される第二出力信号から瞬時脈拍数を抽出する瞬時脈拍数抽出部２２ｂと、瞬時脈拍数抽出部２２ｂによって抽出された瞬時脈拍数から、仮に設定された基点脈拍タイミングにおける脈拍間隔データ、および基点脈拍タイミングから所定時間毎における脈拍間隔データをそれぞれ作成する脈拍間隔データ作成部２２ｃと、脈拍間隔データ作成部２２ｃによって作成された脈拍間隔データのうち、基準心拍間隔算出部２１ｂによって算出された基準心拍間隔と最も相関が高い脈拍間隔データを抽出する脈拍間隔データ抽出部２２ｄと、を備えている。【選択図】図２
2017060584.tif 000002
【特許請求の範囲】
【請求項１】
被測定者の拍動を検出する第一検出センサと、
前記第一検出センサから出力される第一出力信号を取得する第一出力信号取得部と、
前記第一出力信号取得部によって取得された前記第一出力信号から基準心拍間隔を算出する基準心拍間隔算出部と、
前記第一検出センサから離れた位置に配置されており、前記拍動に起因する脈拍を含む振動を検出する第二検出センサと、
前記第二検出センサから出力される第二出力信号を取得する第二出力信号取得部と、
前記第二出力信号取得部によって取得された前記第二出力信号から瞬時脈拍数を抽出する瞬時脈拍数抽出部と、
前記瞬時脈拍数抽出部によって抽出された前記瞬時脈拍数から、仮に設定された基点脈拍タイミングにおける脈拍間隔データ、および前記基点脈拍タイミングから所定時間毎における脈拍間隔データをそれぞれ作成する脈拍間隔データ作成部と、
前記脈拍間隔データ作成部によって作成された前記脈拍間隔データのうち、前記基準心拍間隔算出部によって算出された前記基準心拍間隔と最も相関が高い前記脈拍間隔データを抽出する脈拍間隔データ抽出部と、
前記脈拍間隔データ抽出部によって抽出された前記脈拍間隔データに対応する脈拍タイミングと、前記第一検出センサによって検出された前記拍動の拍動タイミングとの差であるタイミング差を算出するタイミング差算出部と、
前記タイミング差算出部によって算出された前記タイミング差から脈波伝播速度を算出する脈波伝播速度算出部と、
を備えた生体情報測定装置。
【請求項２】
前記第一検出センサおよび前記第二検出センサは、静電容量タイプのセンサから構成されている請求項１記載の生体情報測定装置。
【請求項３】
前記被測定者の姿勢を判定する姿勢判定部と、
前記姿勢判定部によって判定された前記姿勢に基づいて、前記第二出力信号取得部、前記瞬時脈拍数抽出部、前記脈拍間隔データ作成部、前記脈拍間隔データ抽出部、前記タイミング差算出部、および前記脈波伝播速度算出部による処理の許否を決定する処理許否決定部と、をさらに備えた請求項１または請求項２記載の生体情報測定装置。
【請求項４】
前記被測定者が仰向けで所定時間だけ安静状態である場合に、前記第二出力信号取得部、前記瞬時脈拍数抽出部、前記脈拍間隔データ作成部、前記脈拍間隔データ抽出部、前記タイミング差算出部、および前記脈波伝播速度算出部による処理を許可する処理許可部、をさらに備えた請求項１または請求項２記載の生体情報測定装置。
【発明の詳細な説明】
【技術分野】
【０００１】
本発明は、生体情報測定装置に関する。
【背景技術】
【０００２】
生体情報測定装置の一形式として、特許文献１に示されているものが知られている。特許文献１に示されているように、生体情報測定装置において実行される測定方法は、生体情報に関するパラメータを測定する方法であって、パラメータ（心電図およびパルスオキシメトリ）の２つの独立した測定の各々の値を予測し、パラメータの２つの独立した測定を行なってパラメータの２つの測定値を生成し、予測値と測定値との間のそれぞれの差を計算し、前記差によって決定された重みを有する２つの測定値を組み合わせるステップを含む方法である。この方法においては、パラメータ、例えば、心拍数を生成する過程のモデルが、各々のチャネルについて構築され、独立に実行されて、パラメータの予測が生成される。モデルとしては、例えばカルマンフィルタが採用されている。
【先行技術文献】
【特許文献】
【０００３】
【特許文献１】特表２００４−５０３３１５号公報
【発明の概要】
【発明が解決しようとする課題】
【０００４】
上述した特許文献１においては、２つのパラメータ（検出パラメータ）に関する各検出値は比較的低ノイズ状態であり、生成（測定）しようとしているパラメータ（測定パラメータ）である例えば心拍数を比較的正確に測定（導出）することができる。しかし、２つの検出パラメータの検出値のうち何れかが比較的高ノイズ状態である場合、検出パラメータを正確かつ適切に抽出できないため、測定パラメータを正確かつ適切に測定（導出）できないおそれがあった。
【０００５】
そこで、本発明は、上述した課題を解消するためになされたもので、生体情報をより正確かつ適切に測定できる生体情報測定装置を提供することを目的とする。
【課題を解決するための手段】
【０００６】
上記の課題を解決するため、請求項１に係る生体情報測定装置は、被測定者の拍動を検出する第一検出センサと、第一検出センサから出力される第一出力信号を取得する第一出力信号取得部と、第一出力信号取得部によって取得された第一出力信号から基準心拍間隔を算出する基準心拍間隔算出部と、第一検出センサから離れた位置に配置されており、拍動に起因する脈拍を含む振動を検出する第二検出センサと、第二検出センサから出力される第二出力信号を取得する第二出力信号取得部と、第二出力信号取得部によって取得された第二出力信号から瞬時脈拍数を抽出する瞬時脈拍数抽出部と、瞬時脈拍数抽出部によって抽出された瞬時脈拍数から、仮に設定された基点脈拍タイミングにおける脈拍間隔データ、および基点脈拍タイミングから所定時間毎における脈拍間隔データをそれぞれ作成する脈拍間隔データ作成部と、脈拍間隔データ作成部によって作成された脈拍間隔データのうち、基準心拍間隔算出部によって算出された基準心拍間隔と最も相関が高い脈拍間隔データを抽出する脈拍間隔データ抽出部と、脈拍間隔データ抽出部によって抽出された脈拍間隔データに対応する脈拍タイミングと、第一検出センサによって検出された拍動の拍動タイミングとの差であるタイミング差を算出するタイミング差算出部と、タイミング差算出部によって算出されたタイミング差から脈波伝播速度を算出する脈波伝播速度算出部と、を備えている。
【発明の効果】
【０００７】
これによれば、第二出力信号が比較的高ノイズ状態である場合であっても、第二出力信号から瞬時脈拍数を抽出することが可能となり、さらには、脈拍タイミングおよび脈拍タイミングと拍動タイミングとのタイミング差の算出が可能となる。その結果、第一出力信号と第二出力信号とから、被測定者の生体情報（例えば、動脈硬化度、血圧など）をより正確かつ適切に測定することができ、ひいては、生体情報をより正確かつ適切に測定できる生体情報測定装置を提供することができる。
【図面の簡単な説明】
【０００８】
【図１】本発明による生体情報測定装置の一実施形態の構成を示す概要図である。
【図２】図１に示す生体情報測定装置のブロック図である。
【図３】第一検出センサにより検出した心電図を示す。
【図４】第二検出センサからの第二出力信号からカルマンフィルタを使用して抽出した瞬時脈拍数を示す。
【図５】上段は、仮に設定された基点脈拍タイミングにおける脈拍間隔データを示し、下段には、基点脈拍タイミングから所定時間後における脈拍間隔データを示す。
【図６】図１に示す制御装置で実行されるプログラムのフローチャートである。
【図７】本発明による生体情報測定装置の他の実施形態の構成を示す概要図である。
【発明を実施するための形態】
【０００９】
以下、本発明による生体情報測定装置の一実施形態について図面を参照して説明する。生体情報測定装置１０は、第一検出センサ１１、第二検出センサ１２、および制御装置２０を備えている。
【００１０】
第一検出センサ１１は、被測定者Ｍの拍動を検出する。本実施形態では、第一検出センサ１１は、電圧変動（心電信号）を検出できる静電容量タイプのセンサから構成されている。第一検出センサ１１は、被測定者Ｍの拍動を電圧変動として検出する。第一検出センサ１１は、シート状に形成されている。第一検出センサ１１は、ベッド３０などの寝具に設けられており、ベッド３０に仰向けになっている被測定者Ｍの背中に対向する位置（接触可能な位置）に配置されるのが好ましい。第一検出センサ１１は、心臓に近い場所に配置されるのが好ましい。本実施形態の第一検出センサ１１は、被測定者Ｍに直接装着するものではない。
なお、第一検出センサ１１は、電圧変動を検出するタイプ以外のものでもよく、圧力変動を検出するタイプ（例えば、本実施形態と同様に静電容量タイプのセンサ）や、血流の変動（血中酸素濃度の変動）を検出するタイプのものでもよい。また、第一検出センサ１１は、被測定者Ｍに直接装着するものでもよい。
【００１１】
第二検出センサ１２は、第一検出センサ１１から離れた位置に配置されており、拍動に起因する脈拍（被測定者Ｍの脈拍）を含む振動（圧力変動）を検出する。本実施形態では、第二検出センサ１２は、圧力変動を検出できる静電容量タイプのセンサから構成されている。第二検出センサ１２は、被測定者Ｍの脈拍を圧力変動として検出可能である。第二検出センサ１２は、シート状に形成されている。第二検出センサ１２は、ベッド３０などの寝具に設けられており、被測定者Ｍの背中に対向する位置（接触可能な位置）から離れた位置で、かつ脈拍を検出可能な位置（例えば被測定者のふくらはぎに対向する位置）に配置されるのが好ましい。本実施形態の第二検出センサ１２は、被測定者Ｍに直接装着するものではない。
第二検出センサ１２は、被測定者Ｍの脈拍だけでなく、その他の振動を検出することになり、第二検出センサ１２の出力信号は、被測定者Ｍの脈拍を示す出力信号や、その他の振動を示す出力信号を含んでいる。被測定者Ｍの脈拍示す出力信号のＳ／Ｎは比較的小さくなる。
【００１２】
姿勢検出装置１３は、ベッド３０上にいる被測定者Ｍの姿勢（座った姿勢、寝た姿勢（仰向け、俯せ、左半身が下、右半身が下）など）を検出する装置である。姿勢検出装置１３は、カメラなどの撮像装置、シート状に形成された圧力センサなどである。
【００１３】
制御装置２０は、図２に示すように、第一出力信号取得部２１ａ、基準心拍間隔算出部２１ｂ、第二出力信号取得部２２ａ、瞬時脈拍数抽出部２２ｂ、脈拍間隔データ作成部２２ｃ、脈拍間隔データ抽出部２２ｄ、タイミング差算出部２２ｅ、脈波伝播速度算出部２２ｆ、血圧算出部２２ｇ、姿勢情報取得部２３ａ、姿勢判定部２３ｂ、処理許否決定部２３ｃ、および処理許可部２３ｄを備えている。
【００１４】
第一出力信号取得部２１ａは、第一検出センサ１１から出力される第一出力信号を取得する。なお、本実施形態では、第一出力信号は心電信号である。
基準心拍間隔算出部２１ｂは、第一出力信号取得部２１ａによって取得された第一出力信号から基準心拍間隔を算出する。具体的には、基準心拍間隔算出部２１ｂは、入力した第一出力信号から心拍間隔を一拍毎に算出し、その心拍間隔と時間（時刻）とを関連付けた基準心拍間隔を算出する。
【００１５】
図３は、第一出力信号の一例が示されている。Ｒ波の各ピークが、時刻ｔ１、時刻ｔ２、時刻ｔ３、時刻ｔ４である。Ｒ波の各ピーク間の間隔、すなわち一拍毎の時間間隔（心拍間隔）は、ｔ２−ｔ１、ｔ３−ｔ２、ｔ４−ｔ３である。心拍間隔ｔ２−ｔ１は、時刻ｔ１と関連付けられる。心拍間隔ｔ３−ｔ２、ｔ４−ｔ３も、時刻ｔ２、時刻ｔ３とそれぞれ関連付けられる。基準心拍間隔は、ｔ２−ｔ１、ｔ３−ｔ２、・・・、ｔｎ−ｔｎ−１である。
【００１６】
第二出力信号取得部２２ａは、第二検出センサ１２から出力される第二出力信号を取得する。なお、本実施形態では、第二出力信号は、被測定者Ｍの脈拍を示す出力信号や、その他の振動を示す出力信号を含んでいる。
【００１７】
瞬時脈拍数抽出部２２ｂは、第二出力信号取得部２２ａによって取得された第二出力信号から瞬時脈拍数を抽出する。具体的には、瞬時脈拍数抽出部２２ｂは、カルマンフィルタを使用して第二出力信号からサンプリング周波数毎に瞬時脈拍数を抽出する。サンプリング周波数は、心拍数が１分間に数十回であるため、数Ｈｚから数１００Ｈｚ程度に設定されるのが好ましい。
【００１８】
図４には、カルマンフィルタを使用して抽出した瞬時脈拍数の一例が示されている。カルマンフィルタは、第二出力信号から角振動数ω（ｔ）を算出する。この角振動数ω（ｔ）に６０／２πを乗じると、その時間（時刻）における瞬時脈拍数（回／分）となる。
【００１９】
脈拍間隔データ作成部２２ｃは、瞬時脈拍数抽出部２２ｂによって抽出された瞬時脈拍数から、仮に設定された基点脈拍タイミングにおける脈拍間隔データ、および基点脈拍タイミングから所定時間毎における脈拍間隔データをそれぞれ作成する。
【００２０】
図５の第一段には、仮に設定された基点脈拍タイミングにおける脈拍間隔データが示され、第二段には、基点脈拍タイミングから所定時間Δｆ後（二番目の拍動タイミング）における脈拍間隔データ（二番目の脈拍間隔データ）が示され、第三段には、基点脈拍タイミングから２×Δｆ後（三番目の拍動タイミング）における脈拍間隔データ（三番目の脈拍間隔データ）が示されている。図５の第四段には、基点脈拍タイミングから（ｋ−１）×Δｆ後（ｋ番目の拍動タイミング）における脈拍間隔データ（ｋ番目の脈拍間隔データ）が示されている。このｋ番目の脈拍間隔データが、基準心拍間隔と最も相関が高い。所定時間Δｆは、例えば上述したサンプリング周波数に相当する時間である。
【００２１】
以下詳述する。仮に設定した基点脈拍タイミングを時刻ｓ０１とする。基点脈拍タイミングｓ０１は、仮定した一拍目の拍動タイミングである。仮定した一拍目の直後の拍動である二拍目のタイミングｓ０２は、次のようにして算出する。すなわち、角振動数ω（ｔ）を時刻ｓ０１からｔで積分したとき、積分値が２πとなる時刻が二拍目のタイミングとして算出できる。換言すると、下記数１を満足すれば、拍動タイミングが算出できる。
なお、積分したものが２πとなるのは、角振動数では一周期分進むということであり、次の拍動のタイミングがくるということである。
【数１】
2017060584.tif 000003
同様に、下記数２を満足すれば、以降の拍動タイミングが算出できる。
【数２】
2017060584.tif 000004
【００２２】
この結果、各拍動タイミング間の差をとることで、脈拍間隔が算出できる。そして、基点脈拍タイミングにおける脈拍間隔データは、ｓ０２−ｓ０１、・・・、ｓ０ｎ−ｓ０n-１となる。このとき、一拍目の拍動タイミングである時刻ｓ０１と、各脈拍間隔ｓ０２−ｓ０１、・・・、ｓ０ｎ−ｓ０n-１は関連付けられる。
【００２３】
さらに、基点脈拍タイミングにおける脈拍間隔データと同様に、基点脈拍タイミングから所定時間Δｆ後における脈拍間隔データを算出する。具体的には、基点脈拍タイミングｓ０１から所定時間Δｆ経過した時点である時刻ｓ１１が、一拍目の拍動タイミングである。さらに前述と同様に、二拍目以降の拍動タイミングｓ１２，ｓ１３，・・・が算出できる。そして、基点脈拍タイミングから所定時間Δｆ後における脈拍間隔データは、ｓ１２−ｓ１１、・・・、ｓ１ｎ−ｓ１n-１となる。このとき、一拍目の拍動タイミングである時刻ｓ１１と、各脈拍間隔ｓ１２−ｓ１１、・・・、ｓ１ｎ−ｓ１n-１は関連付けられる。
【００２４】
また、前述と同様に、時刻ｓ１１からさらに所定時間Δｆ経過した時点の時刻をｓ２１として、拍動タイミングｓ２２，ｓ２３，・・・，ｓ２ｎが求めることができ、各脈拍間隔ｓ２２−ｓ２１、・・・、ｓ２ｎ−ｓ２n-１が算出することができる。この場合の脈拍間隔データは、ｓ２２−ｓ２１、・・・、ｓ２ｎ−ｓ２n-１となる。
以降、脈拍間隔データは、基点脈拍タイミングＳ０１からほぼ拍動の一周期分算出する。換言すると、拍動タイミングｓｍ＋１１が（ｍ＋１）×Δｆ＞時刻ｔ２となるｍまで、脈拍間隔を算出する。拍動タイミングｓｍ＋１１は、基点脈拍タイミングＳ０１からｍ番目の脈拍間隔データの開始タイミングである。なお、このとき、ｋ番目の脈拍間隔データは、ｓｋ２−ｓｋ１、・・・、ｓｋｎ−ｓｋn-１であり、基準心拍間隔ｔ２−ｔ１、ｔ３−ｔ２、・・・、ｔｎ−ｔｎ−１と最も相関が高い。
脈拍間隔データは、拍動の一周期分算出すればよい。すなわち、脈拍間隔データの個数は、拍動の一周期をサンプリング周波数で除した値となる。
【００２５】
なお、上記数１は、瞬時脈動数で置き換える場合には、下記数３に示すようになる。
【数３】
2017060584.tif 000005
【００２６】
脈拍間隔データ抽出部２２ｄは、脈拍間隔データ作成部２２ｃによって作成された複数の脈拍間隔データのうち、基準心拍間隔算出部２１ｂによって算出された基準心拍間隔と最も相関が高い脈拍間隔データを抽出する。本実施形態では、上述したように、図５に示す、ｋ番目の拍動タイミング（時刻ｓｋ１）における脈拍間隔データｓｋ２−ｓｋ１、ｓｋ３−ｓｋ２、・・・、ｓｋｎ−ｓｋn-１が、基準心拍間隔ｔ２−ｔ１、ｔ３−ｔ２、・・・、ｔｎ−ｔｎ−１と最も相関が高い。よって、脈拍間隔データ抽出部２２ｄは、脈拍タイミング（時刻ｓｋ１）における脈拍間隔データを抽出する。
【００２７】
タイミング差算出部２２ｅは、脈拍間隔データ抽出部２２ｄによって抽出された脈拍間隔データに対応する脈拍タイミングと、第一検出センサ１１によって検出された拍動の拍動タイミングとの差であるタイミング差ΔＴを算出する。脈拍タイミングは時刻ｓｋ１であり、拍動タイミングは時刻ｔ１であるので、タイミング差算出部２２ｅは、時刻ｓｋ１と時刻ｔ１との差をタイミング差ΔＴとして算出する。
【００２８】
脈波伝播速度算出部２２ｆは、タイミング差算出部２２ｅによって算出されたタイミング差ΔＴから脈波伝播速度ＰＷＶを算出する。脈波伝播速度ＰＷＶは、伝播距離Ｌをタイミング差ΔＴで除算して算出される（ＰＷＶ＝Ｌ／ΔＴ）。伝播距離は、第一検出センサ１１と第二検出センサ１２との間の距離（中心間距離でもよい）であり、予め設定（記憶）されている。
【００２９】
血圧算出部２２ｇは、脈波伝播速度算出部２２ｆによって算出された脈波伝播速度から血圧Ｐを算出する。血圧Ｐは下記式から算出される。
（数４）
Ｐ＝２ρ×ＰＷＶ２／β
ここで、ρは血液密度であり、ＰＷＶは脈波伝播速度であり、βは血管硬さである。ρおよびβは、予め設定されるのが好ましい。
【００３０】
姿勢情報取得部２３ａは、姿勢検出装置１３から姿勢情報を取得する。姿勢判定部２３ｂは、姿勢情報取得部２３ａによって姿勢情報から被測定者Ｍの姿勢を判定する。
【００３１】
処理許否決定部２３ｃは、姿勢判定部２３ｂによって判定された姿勢に基づいて、第二出力信号取得部２２ａ、瞬時脈拍数抽出部２２ｂ、脈拍間隔データ作成部２２ｃ、脈拍間隔データ抽出部２２ｄ、タイミング差算出部２２ｅ、および脈波伝播速度算出部２２ｆによる処理の許否を決定する。具体的には、被測定者Ｍの姿勢が測定可能な姿勢である場合（例えば仰向けである場合）には、処理許否決定部２３ｃは、前記処理を許可し、それ以外の場合には、前記処理を禁止する。
【００３２】
さらに、処理許可部２３ｄは、被測定者Ｍが仰向けで所定時間だけ安静状態である場合に、第二出力信号取得部２２ａ、瞬時脈拍数抽出部２２ｂ、脈拍間隔データ作成部２２ｃ、脈拍間隔データ抽出部２２ｄ、タイミング差算出部２２ｅ、および脈波伝播速度算出部２２ｆによる処理を許可する。
【００３３】
さらに、上述した生体情報測定装置に係る作動について図６に示すフローチャートに沿って説明する。制御装置２０は、そのフローチャートに沿ったプログラムを実行する。
制御装置２０は、ステップＳ１０２において、上述した姿勢情報取得部２３ａと同様に、姿勢検出装置１３から被測定者Ｍの姿勢情報を取得する。制御装置２０は、ステップＳ１０４において、上述した姿勢判定部２３ｂおよび処理許否決定部２３ｃと同様に、被測定者Ｍの姿勢を判定し、かつ、その判定された姿勢に基づいて、上述した第二出力信号取得部２２ａ、瞬時脈拍数抽出部２２ｂ、脈拍間隔データ作成部２２ｃ、脈拍間隔データ抽出部２２ｄ、タイミング差算出部２２ｅ、および脈波伝播速度算出部２２ｆによる処理の許否を決定する。制御装置２０は、ステップＳ１０４において、被測定者Ｍが仰向けで所定時間だけ安静状態である場合に、前記処理を許可するようにしてもよい。
【００３４】
制御装置２０は、ステップＳ１０６において、上述した第一出力信号取得部２１ａと同様に、第一検出センサ１１から出力される第一出力信号を取得する。制御装置２０は、ステップＳ１０８において、上述した基準心拍間隔算出部２１ｂと同様に、第一出力信号から基準心拍間隔を算出する。
【００３５】
制御装置２０は、ステップＳ１１０において、上述した第二出力信号取得部２２ａと同様に、第二検出センサ１２から出力される第二出力信号を取得する。制御装置２０は、ステップＳ１１２において、上述した瞬時脈拍数抽出部２２ｂは、第二出力信号から瞬時脈拍数を抽出する。制御装置２０は、ステップＳ１１４において、上述した脈拍間隔データ作成部２２ｃと同様に、各脈拍間隔データをそれぞれ作成する。制御装置２０は、ステップＳ１１６において、上述した脈拍間隔データ抽出部２２ｄと同様に、複数の脈拍間隔データのうち、ステップＳ１０８にて算出された基準心拍間隔と最も相関が高い脈拍間隔データを抽出する。
【００３６】
制御装置２０は、ステップＳ１１８において、上述したタイミング差算出部２２ｅと同様に、抽出された脈拍間隔データに対応する脈拍タイミングと、第一検出センサ１１によって検出された拍動の拍動タイミングとの差であるタイミング差ΔＴを算出する。制御装置２０は、ステップＳ１２０において、上述した脈波伝播速度算出部２２ｆと同様に、タイミング差ΔＴから脈波伝播速度ＰＷＶを算出する。制御装置２０は、ステップＳ１２２において、上述した血圧算出部２２ｇと同様に、脈波伝播速度から血圧Ｐを算出する。
【００３７】
上述した説明から明らかなように、本実施形態に係る生体情報測定装置１０は、被測定者Ｍの拍動を検出する第一検出センサ１１と、第一検出センサ１１から出力される第一出力信号を取得する第一出力信号取得部２１ａと、第一出力信号取得部２１ａによって取得された第一出力信号から基準心拍間隔を算出する基準心拍間隔算出部２１ｂと、第一検出センサ１１から離れた位置に配置されており、拍動に起因する脈拍を含む振動を検出する第二検出センサ１２と、第二検出センサ１２から出力される第二出力信号を取得する第二出力信号取得部２２ａと、第二出力信号取得部２２ａによって取得された第二出力信号から瞬時脈拍数を抽出する瞬時脈拍数抽出部２２ｂと、瞬時脈拍数抽出部２２ｂによって抽出された瞬時脈拍数から、仮に設定された基点脈拍タイミングにおける脈拍間隔データ、および基点脈拍タイミングから所定時間毎における脈拍間隔データをそれぞれ作成する脈拍間隔データ作成部２２ｃと、脈拍間隔データ作成部２２ｃによって作成された脈拍間隔データのうち、基準心拍間隔算出部２１ｂによって算出された基準心拍間隔と最も相関が高い脈拍間隔データを抽出する脈拍間隔データ抽出部２２ｄと、脈拍間隔データ抽出部２２ｄによって抽出された脈拍間隔データに対応する脈拍タイミングと、第一検出センサ１１によって検出された拍動の拍動タイミングとの差であるタイミング差を算出するタイミング差算出部２２ｅと、タイミング差算出部２２ｅによって算出されたタイミング差から脈波伝播速度を算出する脈波伝播速度算出部２２ｆと、を備えている。
【００３８】
これによれば、第二出力信号が比較的高ノイズ状態である場合であっても、第二出力信号から瞬時脈拍数を抽出することが可能となり、さらには、脈拍タイミングおよび脈拍タイミングと拍動タイミングとのタイミング差の算出が可能となる。その結果、第一出力信号と第二出力信号とから、被測定者Ｍの生体情報（例えば、動脈硬化度、血圧など）をより正確かつ適切に測定することができ、ひいては、生体情報をより正確かつ適切に測定できる生体情報測定装置１０を提供することができる。
【００３９】
また、第一検出センサ１１および第二検出センサ１２は、静電容量タイプのセンサから構成されている。
これによれば、生体情報測定装置１０は、被測定者Ｍに負担をかけることなく、各センサ１１，１２を使用して生体情報を確実に取得することができる。
【００４０】
また、生体情報測定装置１０は、被測定者Ｍの姿勢を判定する姿勢判定部２３ｂと、姿勢判定部２３ｂによって判定された姿勢に基づいて、第二出力信号取得部２２ａ、瞬時脈拍数抽出部２２ｂ、脈拍間隔データ作成部２２ｃ、脈拍間隔データ抽出部２２ｄ、タイミング差算出部２２ｅ、および脈波伝播速度算出部２２ｆによる処理の許否を決定する処理許否決定部２３ｃと、をさらに備えている。
これによれば、生体情報測定装置１０は、被測定者Ｍの姿勢が測定に適している場合に、脈波伝播速度の算出処理をすることができるため、生体情報をより正確かつ適切に測定することができる。
【００４１】
また、生体情報測定装置１０は、被測定者Ｍが仰向けで所定時間だけ安静状態である場合に、第二出力信号取得部２２ａ、瞬時脈拍数抽出部２２ｂ、脈拍間隔データ作成部２２ｃ、脈拍間隔データ抽出部２２ｄ、タイミング差算出部２２ｅ、および脈波伝播速度算出部２２ｆによる処理を許可する処理許可部２３ｄ、をさらに備えている。
これによれば、生体情報測定装置１０は、被測定者Ｍが仰向けで所定時間だけ安静状態である場合に、脈波伝播速度の算出処理をすることができるため、生体情報をより正確かつ適切に測定することができる。
【００４２】
なお、生体情報測定装置１０は、動脈硬化度を算出するようにしてもよい。この場合、上記数１を使用して脈波伝搬速度から動脈硬化度を示すβを算出すればよい（β＝２ρ×ＰＷＶ２／Ｐ）。なお、血圧は別の装置を使用して測定した値を用いてもよく、上述した血圧算出部２２ｇによって算出した結果（過去分の平均）を用いてもよい。
【００４３】
また、生体情報測定装置１０は、車両に搭載してもよい。具体的には、図７に示すように、第一検出センサ１１は、車両のステアリング４１に設けられており、被測定者Ｍの手が接触可能に構成されている。第一検出センサ１１は、電圧変動（心電信号）を検出する。第二検出センサ１２は、車両のシート４０の座部４０ｂの表面または表面の直下に配設されている。第二検出センサ１２は、脈拍を検出可能である。
【符号の説明】
【００４４】
１０…生体情報測定装置、１１…第一検出センサ、１２…第二検出センサ、２０…制御装置、２１ａ…第一出力信号取得部、２１ｂ…基準心拍間隔算出部、２２ａ…第二出力信号取得部、２２ｂ…瞬時脈拍数抽出部、２２ｃ…脈拍間隔データ作成部、２２ｄ…脈拍間隔データ抽出部、２２ｅ…タイミング差算出部、２２ｆ…脈波伝播速度算出部、２２ｇ…血圧算出部、２３ａ…姿勢情報取得部、２３ｂ…姿勢判定部、２３ｃ…処理許否決定部、２３ｄ…処理許可部。
【図１】
2017060584.tif 000006
【図２】
2017060584.tif 000007
【図３】
2017060584.tif 000008
【図４】
2017060584.tif 000009
【図５】
2017060584.tif 000010
【図６】
2017060584.tif 000011
【図７】
2017060584.tif 000012